(57)【要約】      （修正有）【課題】  駆動装置を水密状態で保護し、かつ、上記水密状態を製作コストを嵩ませることなく形成することができる防水構造を提供する。【解決手段】  防水構造１０は、一端に開口部３１が形成され、上記電力供給部１１を水密状態で被覆しうるように形成された電力供給部カバー１５と、一端に開口部３２が形成され、上記駆動部１２を水密状態で被覆しうるように形成された駆動部カバー１７とを有し、上記電力供給部１１の一端には、上記駆動部１２側に突出して形成された支持筒部１８と、上記支持筒部１８の径方向外方に設けられ、所定の間隔寸法をおいて形成された保護筒部１９とが設けられ、上記駆動部カバー１７の開口縁部１６は、上記支持筒部１８と上記保護筒部１９との間に水密状態で嵌入され、上記電力供給部カバー１５の開口縁部１４により、上記駆動部カバー１７の開口周縁部２７及び、上記保護筒部１９を水密状態で被覆しうるように形成されている。【選択図】図７
2007136011.tif 000002
【特許請求の範囲】
【請求項１】
電力供給部と、上記電力供給部の一端から突出して形成され、上記電力供給部により供給される電力により駆動しうるように形成されている駆動部とにより構成されている駆動装置の防水構造であって、
上記防水構造は、一端に開口部が形成され、上記電力供給部を水密状態で被覆しうるように形成された電力供給部カバーと、
一端に開口部が形成され、上記駆動部を水密状態で被覆しうるように形成された駆動部カバーとを有し、
上記電力供給部の一端には、上記駆動部側に突出して形成された支持筒部と、
上記支持筒部の径方向外方に設けられ、所定の間隔寸法をおいて形成された保護筒部とが設けられ、
上記駆動部カバーの開口縁部は、上記支持筒部と上記保護筒部との間に水密状態で嵌入され、
上記電力供給部カバーの開口縁部により、上記駆動部カバーの開口周縁部及び、上記保護筒部を水密状態で被覆しうるように形成されていることを特徴とする防水構造。
【請求項２】
上記駆動部カバーの開口縁部には、上記開口縁部の側縁外方に沿って設けられ、上記支持筒部と上記保護筒部との間に圧入されることにより、上記駆動部カバーの内方における水密状態を保持しうるように形成されている突条部が設けられていることを特徴とする請求項１記載の防水構造。
【請求項３】
上記駆動部カバーは、伸縮性を有する耐水素材からなり、内径寸法は上記支持筒部の外径寸法と略同一寸法に形成され、上記突条部の外径寸法は、上記保護筒部の内径寸法と略同一に形成されていることを特徴とする請求項２記載の防水構造。
【請求項４】
上記電力供給部カバーは、伸縮性を有する耐水素材からなり、内径寸法は、電力供給部の外径寸法よりも若干径大に形成されると共に、電力供給部カバーの開口縁部には、内径が上記保護筒部の内径寸法よりも小さい係合突条部が形成されていることを特徴とする請求項２又は３記載の防水構造。
【請求項５】
上記電力供給部カバーは、軟質素材により形成され、上記電力供給部に設けられ、上記駆動部を操作しうるように形成されたスイッチ部を外方から操作しうるように形成されていることを特徴とする請求項１、２，３又は４記載の防水構造。
【請求項６】
上記電力供給部は電池ボックスにより形成され、
必要時にあっては、上記電力供給部カバーは着脱可能に形成されていることを特徴とする請求項１、２又は３記載の防水構造。
【請求項７】
上記駆動部は原動部と、上記原動部と連動して振動しうるように形成された振動子により形成され、上記スイッチ部は、押しボタンにより形成されていることを特徴とする請求項３又は４記載の防水構造。
【請求項８】
上記スイッチ部は、ダイヤルにより形成されていることを特徴とする請求項５記載の防水構造。
【請求項９】
上記スイッチ部は、スライダーにより形成されていることを特徴とする請求項５記載の防水構造。
【発明の詳細な説明】
【技術分野】
【０００１】
本発明は、浴室や水回り等において使用可能な駆動装置の防水構造に係り、特に駆動装置の係合部を水密状態で保護することができ、かつ、上記水密状態を製作コストを嵩ませることなく形成することができる防水構造に関する。
【背景技術】
【０００２】
従来、浴室や屋外、又は液体が付着するような環境下において使用される電動玩具や、マッサージ機等の駆動装置については、電池ボックスやモーター、又はコントローラースイッチ等の電子機器により形成されていることから、水気による故障を防ぐため、防水カバーにより密着して被覆された防水機器が存在する（特許文献１、特許文献２）。
【０００３】
【特許文献１】特開２００５−２３７９１１号
【特許文献２】実公平０６−１７５１６号
【発明の開示】
【発明が解決しようとする課題】
【０００４】
上記特許文献１にあっては、防水性を有する伸縮自在な素材から形成された袋状体により、バイブレーターを被覆することにより上記バイブレーターを水密状態で保護し、水周りでの使用を可能としたものであるが、上記バイブレーターの被覆は、密着可能な径を有する開口部により密着させることにより開口部が閉塞されるものであり、使用状況にあっては、上記開口部の密着力に抗して、上記袋状体の開口部が捲れる場合があり、上記捲れあがった箇所から、バイブレーター内に水滴が浸入するという不具合がある。
【０００５】
上記特許文献２にあっては、電池ボックスの外側面に形成されている二段の筋状の溝に対し、防水カバーの開口端部をまるめて嵌めこむことにより、電池ボックスを防水カバーで覆って水漏れを防ぐことができるものであり、当該考案にかかる電池ボックスにあっても、使用状況にあっては、上記二段の筋状の溝と、上記丸め込まれた開口端部との係合が解除され、上記防水カバーの開口端部の密着力に抗して、上記防水カバーが捲れる場合があり、捲れあがった箇所から、電池ボックス内に水滴が浸入するという不具合がある。
【０００６】
また、上記カバーを使用せずに上記電池収納部や、操作ボタン部を防水構造で形成すると、構成が複雑となり、また、上記防水箇所を精密に形成しなければならないことから、作成が煩雑であるとともに、製作コストがかかるという不具合がある。
【０００７】
そこで本発明が解決しようとする課題は、駆動装置を水密状態で保護し、かつ、上記水密状態を製作コストを嵩ませることなく形成することができる防水構造を提供することにある。
【課題を解決するための手段】
【０００８】
このような技術的課題解決のため、請求項１記載の発明は、電力供給部と、上記電力供給部の一端から突出して形成され、上記電力供給部により供給される電力により駆動しうるように形成されている駆動部とにより構成されている駆動装置の防水構造であって、上記防水構造は、一端に開口部が形成され、上記電力供給部を水密状態で被覆しうるように形成された電力供給部カバーと、一端に開口部が形成され、上記駆動部を水密状態で被覆しうるように形成された駆動部カバーとを有し、上記電力供給部の一端には、上記駆動部側に突出して形成された支持筒部と、上記支持筒部の径方向外方に設けられ、所定の間隔寸法をおいて形成された保護筒部とが設けられ、上記駆動部カバーの開口縁部は、上記支持筒部と上記保護筒部との間に水密状態で嵌入され、上記電力供給部カバーの開口縁部により、上記駆動部カバーの開口周縁部及び、上記保護筒部を水密状態で被覆しうるように形成されていることを特徴とする。
【０００９】
従って、請求項１記載の防水構造にあっては、上記駆動部カバーの開口縁部を上記支持筒部と、上記保護筒部との間に嵌入させることにより、上記駆動部を水密状態で保護することができる。
また、上記電力供給部カバーにより、上記駆動部カバーの開口周縁部及び上記保護筒部を水密状態で被覆して保護することができる。
従って、上記駆動部カバーと、上記電力供給部カバーとにより、上記駆動装置を水密状態で保護することができる。
【００１０】
請求項２記載の発明は、上記駆動部カバーの開口縁部には、上記開口縁部の側縁外方に沿って設けられ、上記支持筒部と上記保護筒部との間に圧入されることにより、上記駆動部カバーの内方における水密状態を保持しうるように形成されている突条部が設けられていることを特徴とする。
従って、上記突条部により、上記駆動部カバーの水密状態を保持することができる。
【００１１】
請求項３記載の発明は、上記駆動部カバーは、伸縮性を有する耐水素材からなり、内径寸法は上記支持筒部の外径寸法と略同一寸法に形成され、上記突条部の外径寸法は、上記保護筒部の内径寸法と略同一に形成されていることを特徴とする。
従って、上記駆動部カバーは耐水素材により形成されていることから、上記駆動部を水密状態で保護することができる。
上記駆動部カバーの内径寸法は上記支持筒部の外形寸法と略同一に形成されていることから、上記突条部が上記支持筒部と上記保護筒部との間に圧入されることにより、上記支持筒部は上記駆動部カバーに密着して固定され、上記駆動部カバー内に配置されている駆動部における水密状態を保持することができる。
【００１２】
請求項４記載の発明は、上記電力供給部カバーは、伸縮性を有する耐水素材からなり、内径寸法は、電力供給部の外径寸法よりも若干径大に形成されると共に、電力供給部カバーの開口縁部には、内径が上記保護筒部の内径寸法よりも小さい係合突条部が形成されていることを特徴とする。 
従って、上記電力供給部カバーにより上記電力供給部を被覆することができるとともに、上記係合突条部により上記駆動部カバーの突条部が上記支持筒部との間に圧入された保護筒部をさらに外方から水密状態で被覆することができる。
【００１３】
請求項５記載の発明は、上記電力供給部カバーは、軟質素材により形成され、上記電力供給部に設けられ、上記駆動部を操作しうるように形成されたスイッチ部を外方から操作しうるように形成されていることを特徴とする。
従って、上記電力供給部を上記電力供給部カバーにより被覆した場合であっても、外方から上記スイッチ部の操作を行うことができる。
【００１４】
請求項６記載の発明は、上記電力供給部は電池ボックスにより形成され、必要時にあっては、上記電力供給部カバーは着脱可能に形成されていることを特徴とする。
従って、必要に応じて上記電力供給部カバーを取り外して使用することができる。
【００１５】
請求項７記載の発明は、上記駆動部は原動部と、上記原動部と連動して振動しうるように形成された振動子により形成され、上記スイッチ部は、押しボタンにより形成されていることを特徴とする。
従って、上記押しボタンをおすことにより、上記駆動部の駆動操作を行うことができる。
【００１６】
請求項８記載の発明は、上記スイッチ部は、ダイヤルにより形成されていることを特徴とする。
従って、上記ダイヤルを回すことにより、上記駆動部の駆動操作を行うことができる。
【００１７】
請求項９記載の発明は、上記スイッチ部は、スライダーにより形成されていることを特徴とする。
従って、上記スライダーをスライドすることにより、上記駆動部の駆動操作を行うことができる。
【発明の効果】
【００１８】
請求項１記載の防水構造にあっては、上記駆動部カバーと、上記電力供給部カバーとにより、上記駆動装置を水密状態で保護し、上記駆動装置を構成している電池ボックスや、モーター又はコントローラースイッチ等の電子機器を水気から保護することができる。
また、上記駆動部カバーの開口縁部は、上記支持筒部と、保護筒部との間に嵌入されていることから、上記駆動部における水密状態を保持しつつ、上記駆動部カバーの開口縁部の端縁が捲れることによる水滴の進入を防止することができ、上記駆動部における水密状態を確実なものとすることができる。
【００１９】
また、上記駆動部カバーの開口縁部が上記支持筒部と保護筒部との間に嵌入されている状態において、上記電力供給部カバーの開口縁部により、上記駆動部カバーの開口縁部及び、上記支持筒部の径方向外方へ突出して形成されている保護筒部を被覆しうるように形成されていることから、上記駆動部カバーの水密状態を確実なものとし、かつ、上記電力供給部カバーが上記電力供給部から脱落されることを防止することができる。
また、上記電力供給部カバーの開口縁部により、上記保護筒部を被覆しうるように形成されていることから、上記電力供給部カバーが容易に捲れることなく、上記電力供給部に液体が浸入することを防止することができる。
従って、上記駆動部や電力供給部自体に防水構造で構成する必要がないことから、製作コストを嵩ませることなく水密状態で保護することができる。
【００２０】
請求項２記載の防水構造にあっては、上記駆動部カバーの開口縁部には、上記開口縁部の側縁外方に沿って設けられ、上記支持筒部と上記保護筒部との間に圧入されることにより、上記駆動部カバーの内方における水密状態を保持しうるように形成されている突条部が設けられていることから、上記突条部が上記支持筒部と上記保護筒部との間において圧入され、上記駆動部カバーの内方における上記駆動部に液体が流入するのを防止することができる。
従って、上記駆動部を水気から保護することができ、浴室や水周り等、湿気が多い環境下においても、上記駆動装置を安心して使用することができる。
【００２１】
請求項３記載の防水構造にあっては、上記駆動部カバーは伸縮性を有する耐水素材から形成されていることから、上記駆動部が駆動した場合であっても、上記駆動部の振動動作や回動動作に合わせて伸縮して、上記駆動部を水密状態で被覆して保護することができる。
また、上記駆動部の形状に合わせて伸縮して上記駆動部を被覆することができることから、上記駆動部の形状が多少凹凸を有する形状であっても、上記駆動部を被覆して、上記駆動部を水密状態で保護することができる。
【００２２】
上記駆動部カバーの内径寸法は、上記支持筒部の外径寸法と略同一寸法に形成されているとともに、上記突条部の外径寸法は、上記保護筒部の内径寸法と略同一寸法に形成されていることから、上記駆動部カバーを上記支持筒部に嵌入させることにより、上記駆動部カバーが伸張して上記支持筒部の外側面と密着されるとともに、上記突条部が上記保護筒部の内側面と密着されることから、
上記突条部により、上記支持筒部と上記保護筒部間を密閉し、上記駆動部カバー内に液体が浸入するのを防止して上記駆動部を水密状態で確実に保護することができる。
従って、上記駆動装置を浴室や水周り等、水気がある環境下で使用した場合であっても、上記駆動装置を水気から保護することができる。
【００２３】
請求項４記載の防水構造にあっては、上記電力供給部カバーは伸縮性を有する耐水素材から形成されていることから、使用時においては上記電力供給部に密着して水密状態で保護することができるとともに、必要時においては、上記電力供給部カバーを伸張することにより、上記電力供給部から上記電力供給部カバーを取り外すことができる。
また、上記電力供給部の形状に合わせて上記電力供給部カバーを伸張させることにより上記電力供給部を被覆することができることから、上記電力供給部の形状が多少凹凸を有する形状であっても、上記電力供給部を被覆して水密状態で保護することができる。
【００２４】
また、上記電力供給部カバーの内径寸法は、上記電力供給部の外径寸法よりも若干径大に形成されていることから、上記電力供給部の形状が凹凸を有する形状を有する場合であっても、上記電力供給部の外形に関わらず、上記電力供給部を被覆して水密状態で保護することができる。
【００２５】
また、上記電力供給部カバーの開口縁部には、内径が上記保護筒部の内径寸法よりも小さい内径を有する係合突条部が形成されていることから、上記電力供給部カバーにより、上記電力供給部を被覆しつつ、上記係合突条部が上記駆動部カバーの外側面と当接されることにより、上記開口縁部と上記駆動部カバーとの間の水密状態をさらに確実に保持することができる。
従って、上記電力供給部カバーにより上記電力供給部を被覆することができるとともに、上記係合突条部により駆動部カバーの突条部が支持筒部との間に圧入された保護筒部をさらに外方から水密状態で被覆し、上記電力供給部内に水などの液体が流入することを防止することができる。
【００２６】
請求項５記載の防水構造にあっては、上記電力供給部カバーは、軟質素材により形成されていることから、上記電力供給部カバーの外方から上記電力供給部に形成されているスイッチ部を操作することができる。
従って、上記電力供給部における水密状態を保持しつつ、上記スイッチ部を操作することにより、上記駆動部を操作することができる駆動装置の防水構造を提供することができる。
【００２７】
請求項６記載の防水構造にあっては、上記電池ボックスを被覆している電力供給部カバーを取り外すことにより、上記電池ボックス内に収納されている電池を容易に取出して交換することができる。
また、必要時にあっては、上記電力供給部カバーを上記電力供給部に装着することにより水密状態で使用することができる。
【００２８】
請求項７記載の防水構造にあっては、上記スイッチ部は押しボタンにより形成されていることから、上記電力供給部が水密状態で保護された状態で、上記押しボタンを押圧することにより上記駆動部を操作することができる。
従って、上記押しボタン自体の構造を防水構造とすることなく、上記押しボタンを水密状態で保護することができることから、製作コストを嵩ませることなく駆動装置全体を水密状態で保護することができる。
【００２９】
請求項８記載の防水構造にあっては、上記スイッチ部はダイヤルにより形成されていることから、上記電力供給部が水密状態で保護された状態で、上記ダイヤルを回転することにより上記駆動部を操作することができる。
従って、上記ダイヤル自体の構造を防水構造とすることなく、上記ダイヤルを水密状態で保護することができることから、製作コストを嵩ませることなく駆動装置全体を水密状態で保護することができる。
【００３０】
請求項９記載の防水構造にあっては、上記スイッチ部はスライダーにより形成されていることから、上記電力供給部が水密状態で保護された状態で、上記スライダーをスライドすることにより上記駆動部を操作することができる。
従って、上記スライダー自体の構造を防水構造とすることなく、上記スライダーを水密状態で保護することができることから、製作コストを嵩ませることなく駆動装置全体を水密状態で保護することができる。
【発明を実施するための最良の形態】
【００３１】
以下、添付図面に示す実施の形態に基づき、本発明にかかる防水構造１０を詳細に説明する。
【００３２】
本実施の形態に係る防水構造１０は、図１に示すように、電力供給部１１と、上記電力供給部１１の一端から突出して形成され、上記電力供給部１１により供給される電力により駆動しうるように形成されている駆動部１２とにより構成されている駆動装置１３の防水構造１０であって、上記防水構造１０は、図１、図３に示すように、一端に開口部３１が形成され、上記電力供給部１１を水密状態で被覆しうるように形成された電力供給部カバー１５と、図１、図２に示すように、一端に開口部３２が形成され、上記駆動部１２を水密状態で被覆しうるように形成された駆動部カバー１７とを有し、図４に示すように、上記電力供給部１１の一端には、上記駆動部１２側に突出して形成された支持筒部１８と、上記支持筒部１８の径方向外方に設けられ、所定の間隔寸法をおいて形成された保護筒部１９とが設けられ、図７に示すように、上記駆動部カバー１７の開口縁部１６は、上記支持筒部１８と上記保護筒部１９との間に水密状態で嵌入され、上記電力供給部カバー１５の開口縁部１４により、上記駆動部カバー１７の開口周縁部２７及び、上記保護筒部１９を水密状態で被覆しうるように形成されている。
【００３３】
また、図２に示すように、上記駆動部カバー１７の開口縁部１６には、上記開口縁部１６の側縁外方に沿って設けられ、図７に示すように、上記支持筒部１８と上記保護筒部１９との間に圧入されることにより、上記駆動部カバー１７の内方における水密状態を保持しうるように形成されている突条部２１が設けられている。
【００３４】
また、図２、図４に示すように、上記駆動部カバー１７は、伸縮性を有する耐水素材からなり、内径寸法Ｗ１は、上記支持筒部１８の外径寸法Ｗ２と略同一寸法に形成され、上記突条部２１の外径寸法Ｗ３は、上記保護筒部１９の内径寸法Ｗ４と略同一に形成されている。
【００３５】
また、図３、図４に示すように、上記電力供給部カバー１５は、伸縮性を有する耐水素材からなり、内径寸法Ｗ５は、電力供給部１１の外径寸法Ｗ６よりも若干径大に形成されると共に、電力供給部カバー１５の開口縁部１４には、内径Ｗ７が上記保護筒部１９の内径寸法Ｗ４よりも小さい係合突条部３０が形成されている。
【００３６】
また、図１、図３に示すように、上記電力供給部カバー１５は、軟質素材により形成され、上記電力供給部１１に設けられ、上記駆動部１２を操作しうるように形成されたスイッチ部２０を外方から操作しうるように形成されている。
【００３７】
また、図１、図６に示すように、上記電力供給部１１は電池ボックス２３により形成され、上記電力供給部カバー１５は着脱可能に形成されている。
【００３８】
また、図１、図５に示すように、上記駆動部１２は原動部２８と、上記原動部２８と連動して振動しうるように形成された振動子２９とにより形成され、上記スイッチ部２０は、押しボタン２４ａ，２４ｂ，２４ｃ，２４ｄにより形成されている。
【００３９】
また、上記スイッチ部２０は、ダイヤルにより形成されている。また、上記スイッチ部２０は、スライダーにより形成されている。
【実施例】
【００４０】
図１は、本発明の実施例にかかる防水構造１０を示したものである。本実施例にかかる防水構造１０は、浴室や水周り等において使用される駆動装置１３の防水構造１０として形成され、特に、電池ボックス２３からなる電力供給部１１と、上記電池ボックス２３により供給される電力により振動しうるように形成されている振動部３６を備えているバイブレーター２２からなる駆動装置１３の防水構造１０として形成されている。
図５に示すように、上記振動部３６は、原動部２８と、上記原動部２８と連動して振動しうるように形成されている振動子２９が備えられている。
【００４１】
上記防水構造１０は、図１、図３に示すように、一端に開口部３１が形成され、上記電力供給部１１を水密状態で被覆しうるように形成された電力供給部カバー１５と、図１、図２に示すように、一端に開口部３２が形成され、上記駆動部１２を水密状態で被覆しうるように形成された駆動部カバー１７とを有している。
図４に示すように、上記電力供給部１１の一端には、上記駆動部１２側に突出して形成された支持筒部１８と、上記支持筒部１８の径方向外方に設けられ、所定の間隔寸法をおいて形成された保護筒部１９とが形成されている。
図７に示すように、上記駆動部カバー１７の開口縁部１６は、上記支持筒部１８と上記保護筒部１９との間に嵌入され、上記駆動部カバー１７と上記支持筒部１８との間の水密状態を確保しうるように形成されている。
【００４２】
図５に示すように、上記駆動部１２は、回転モーター３５と、上記回転モーター３５の駆動軸に延設して設けられ、上記駆動軸の回転運動により一体として回転しうるシャフト３３と、上記シャフト３３の先端部３４に設けられている振動部３６とにより形成されている。
図５に示すように、上記シャフト３３は湾曲して形成され、上記シャフト３３の先端部３４に設けられている振動部３６は、上記回転モーター３５の回転運動により、上記シャフト３３を介して偏心運動を構成しうるように形成されている。
【００４３】
上記シャフト３３の外側には上記シャフト３３の長さ方向に沿って設けられている円筒形状の保護チューブ３８が設けられ、上記駆動部１２を上記駆動部カバー１７内に収納した場合に、上記シャフト３３の回転運動により、上記駆動部カバー１７の内側面が擦過されるのを防止することができる。
また、上記シャフト３３が直接上記駆動部カバー１７の内側面に当接しないことから、上記シャフト３３の回転運動が阻害されずに上記シャフト３３の回転運動を行うことができる。
【００４４】
上記振動部３６には、上記電力供給部１１からの電力により回転しうるように形成されている原動部２８と、上記原動部２８の駆動軸３７に設けられ、上記原動部２８の回転運動により一体となって振動しうるように形成されている振動子２９が設けられ、全体形状楕円形に形成されているカプセル４５内に収納されている。
上記振動子２９は、円板状に形成され、上記円板の中心から偏心した位置において、上記原動部２８の駆動軸３７と係合されていることから、上記原動部２８の回転運動により、上記振動子２９が振動され、上記振動部３６全体が振動しうるように形成されている。
【００４５】
図５に示すように、上記回転モーター３５には上記電力供給部１１の電力を供給しうるように形成された導線３９が上記原動部２８には上記電力供給部１１の電力を供給しうるように形成された導線４０が夫々配線されている。
図４に示すように、上記支持筒部１８の内径寸法Ｗ８は、図５に示すように、上記回転モーター３５の外径寸法Ｗ９よりも径大に形成され、上記回転モーター３５を上記支持筒部１８の内方に収納しうるように形成されている。
【００４６】
また、上記回転モーター３５の周縁部には、上記回転モーター３５の外周に沿ってスポンジ４８が設けられ、上記回転モーター３５が上記支持筒部１８内に収納された場合に、上記回転モーター３５と上記支持筒部１８との間の間隙を埋めることにより、上記回転モーター３５を上記支持筒部１８内に固定することができる。
【００４７】
図４に示すように、上記電池ボックス２３に設けられている蓋部５０の反対側側面には、上記駆動部１２に設けられている各原動部２８、副原動部４２及び回転モーター３５を操作しうるように形成されているスイッチ部２０が設けられ、上記スイッチ部２０は押しボタン２４ａ，２４ｂ，２４ｃ，２４ｄにより形成されている。
【００４８】
図４に示すように、上記押しボタン２４ａ，２４ｂ，２４ｃ，２４ｄは、夫々上記電池ボックス２３の長さ方向に沿って４つ形成され、上記押しボタン２４ａは、上記原動部２８及び上記回転モーター３５の起動スイッチとして機能され、上記押しボタン２４ｂは、上記原動部２８及び上記回転モーター３５の回転速度を変更しうるスイッチとして機能され、上記押しボタン２４ｃは、副原動部４２の起動スイッチとして機能され、上記押しボタン２４ｄは、上記副原動部４２の回転速度を変更しうるスイッチとして夫々機能されている。
【００４９】
図１に示すように、上記支持筒部駆動部の斜方に突出して形成された副振動部４１が設けられている。
上記副振動部４１には、上記振動部３６と同様に、上記電力供給部１１からの電力により回転しうるように形成されている副原動部４２と、上記副原動部４２の駆動軸４３に設けられ、上記副原動部４２の回転運動により一体となって振動しうるように形成されている振動子４４が設けられ、全体形状楕円形に形成されている副カプセル４６内に収納されている。
ている。
【００５０】
図５に示すように、上記振動子４４は、円板状に形成され、上記円板の中心から偏心した位置において、上記副原動部４２の駆動軸４３と係合されていることから、上記副原動部４２の回転運動により、上記振動子４４が振動され、上記副振動部４１全体が振動しうるように形成されている。
【００５１】
図５に示すように、上記副振動部４１は、全体形状楕円形の副カプセル４６により覆われて保護されている。上記副原動部４２には、上記電力供給部１１からの電力を供給しうるように形成された導線４７が配線されている。
【００５２】
図６に示すように、上記電力供給部１１は、上記駆動装置１３の後端部５６側において、略円筒状に形成された電池ボックス２３により形成され、上記電池ボックス２３は、電池収納部４９と、上記電池収納部４９内に配置された電池を保持しうるように形成されている蓋部５０が設けられている。
上記蓋部５０は、横断面円弧状に形成され、上記電池ボックス２３の長さ方向に対しスライドさせることにより、上記電池ボックス２３に対し着脱可能に形成されている。
図６に示すように、上記蓋部５０の外側面には、上記電池ボックス２３の幅方向に沿って切り込まれている複数の溝により形成された滑り止め部５１が設けられている。
必要時にあっては上記滑り止め部５１に指を当てて上記蓋部５０をスライドさせることにより、上記電池収納部４９を外方に開口させ、上記電池ボックス２３内に収納されている電池を取り出すことができるように形成されている。  
【００５３】
図６に示すように、上記電池収納部４９には、上記電池収納部４９内に配置した電池を保持して上記電池により供給される電力を上記駆動部１２に供給しうるように形成されている電池保持バネ５２が設けられている。
【００５４】
図４に示すように、上記支持筒部１８は円筒状に形成され、上記電池ボックス２３から供給される電力を上記駆動部１２に供給しうるように形成されている導線３９が挿通されている。
従って、図１に示すように、上記電力供給部１１が電力供給部カバー１５により被覆され、上記駆動部１２が駆動部カバー１７により被覆され、水密状態で保護されている状態下において、上記電池ボックス２３の電力を上記駆動部１２に供給することができる。
【００５５】
図４に示すように、上記支持筒部１８と保護筒部１９との間隔寸法Ｗ１０は、図２に示すように、上記駆動部カバー１７の厚さ寸法Ｗ１１よりも若干小さい寸法に形成され、上記駆動部カバー１７を上記支持筒部１８と上記保護筒部１９間に嵌入しうるように形成されている。
【００５６】
図２に示すように、上記駆動部カバー１７の開口縁部１６には、上記支持筒部１８と上記保護筒部１９との間に圧入されることにより、上記駆動部カバー１７の内方における水密状態を保持しうるように形成されている突条部２１が設けられている。
【００５７】
図２に示すように、上記突条部２１は、上記駆動部カバー１７の上記開口部３２側の端部から、所定の間隔寸法をおいて上記開口縁部１６の側縁外方に沿って設けられ、上記開口部３２の端部と上記突条部２１の駆動部側端縁部５７との間隔寸法Ｗ１２は、図４に示すように、上記保護筒部１９の長さ寸法Ｗ１３と略同一に形成されている。
また、図２に示すように、上記突条部２１における上記駆動部カバー１７の厚さ寸法Ｗ１４は、図４に示すように、上記支持筒部１８と上記保護筒部１９との間隔寸法Ｗ１０と略同一寸法に形成されている。
【００５８】
従って、上記駆動部カバー１７の開口縁部１６を上記支持筒部１８と上記保護筒部１９との間に嵌入させることにより、上記突条部２１の駆動部側端縁部が上記保護筒部１９の先端部に配置され、上記突条部２１が上記保護筒部１９の内側面と圧接され、上記駆動部カバー１７内を水密状態で保護することができると共に、上記駆動部カバー１７と上記電池ボックス２３との接合部位における水密状態を確保することができる。
【００５９】
図１、図２に示すように、上記駆動部カバー１７は略円筒形状に形成され、上記駆動部カバー１７の内方において上記駆動部カバー１７の長さ方向に沿って上記駆動部１２を挿通しうるように形成されている。
上記駆動部カバー１７の先端部は袋状に閉塞して形成されており、上記駆動部１２を上記駆動部カバー１７内に挿通させることにより、上記駆動部１２を水密状態で被覆して保護することができる。
また、図１、図２に示すように、上記駆動部カバー１７の先端形状は略半球状に形成され、上記バイブレーター２２の先端部を人体に当接させ、振動させて使用した場合であっても、人体に対し優しい触感を与えることができる。
【００６０】
図１、図２に示すように、上記駆動部カバー１７は、伸縮性を有する耐水素材により形成され、本発明における実施例においては、可撓性を有する軟質のスチレン系エラストマーにより形成され、図７に示すように、上記回転モーター３５に設けられているシャフト３３と連動して偏心運動をしうるように形成されている。
【００６１】
図１、図２に示すように、上記駆動部カバー１７の側縁外方には、斜方に突出して形成されている副駆動部カバー５３が設けられている。
上記副駆動部カバー５３は略円筒形状に形成され、上記副駆動部カバー５３の内方において、上記副駆動部カバー５３の長さ方向に沿って上記副振動部４１を挿通しうるように形成されている。
また、図１、図２に示すように、上記副駆動部カバー５３の先端形状は楕円形に形成され、上記副振動部４１の先端部を人体に当接させ、振動させて使用した場合であっても、人体に対し優しい触感を与えることができる。
【００６２】
図１、図３に示すように、上記電力供給部カバー１５は、一端に開口部３１が形成され、上記電力供給部１１の外方において、上記電力供給部１１を水密状態で被覆して保護しうるように形成されている。
上記電力供給部カバー１５は、筒状部５４と、上記筒状部５４の一側面において上記筒状部５４の長さ方向に沿って形成されている平面部５５とにより、横断面形状Ｄ型に形成されている。
【００６３】
図７に示すように、上記電力供給部１１に上記電力供給部カバー１５を装着させた場合には、上記平面部５５を上記スイッチ部２０側に配置することにより、上記スイッチ部２０を構成している各押しボタン２４ａ，２４ｂ，２４ｃ，２４ｄが上記電力供給部カバー１５により押圧されることなく、上記スイッチ部２０を水密状態で保護することができる。
【００６４】
図１、図３に示すように、上記電力供給部カバー１５は、伸縮性を有する耐水素材により形成され、本発明における実施例においては、可撓性を有する軟質のスチレン系エラストマーにより形成されていることから、図７に示すように、上記電力供給部カバー１５により、上記各押しボタン２４ａ，２４ｂ，２４ｃ，２４ｄが被覆された場合であっても、上記電力供給部カバー１５の外方から容易に上記各押しボタン２４ａ，２４ｂ，２４ｃ，２４ｄを押圧して、上記駆動部１２の駆動操作を行うことができるように形成されている。
また、上記電力供給部カバー１５は、透明又は半透明に形成され、上記電力供給部カバー１５の内方に配置されている各押しボタン２４ａ，２４ｂ，２４ｃ，２４ｄを外方から視認可能に形成されている。
従って、上記電力供給部カバー１５により、上記電力供給部１２を水密状態で被覆した状態においても、上記各押しボタン２４ａ，２４ｂ，２４ｃ，２４ｄを容易に操作することができる。
【００６５】
図３に示すように、上記電力供給部カバー１５の開口縁部１４には、上記電力供給部カバー１５の長さ方向に沿って短円筒状に突出して形成されている係合突条部３０が形成されている。
上記係合突条部３０の内側面は、上記係合突条部３０の内側面の全周に沿って径方向内方に向かって突出して形成されている突条当接部６０が設けられ、上記突条当接部６０は上記係合突条部３０の内側面において、径方向内方に向かって断面半円形状に突出して形成されている。
上記係合突条部３０の内側面に設けられている上記突条当接部６０における内径Ｗ７は、図４に示すように、上記保護筒部１９の内径寸法Ｗ４よりも小さい径寸法に形成されている。
【００６６】
図７に示すように、上記電力供給部カバー１５により、上記電力供給部１１を被覆しつつ、上記係合突条部３０の内側面に突出して形成されている突条当接部６０が、上記駆動部カバー１７の外側面と当接されることにより、上記電力供給部１１の開口縁部１４と、上記駆動部カバー１７との間の水密状態をさらに確実に保持することができる。
従って、上記係合突条部３０の内側面に設けられた突条当接部６０により、駆動部カバー１７の突条部２１が支持筒部１８との間に圧入された保護筒部１９をさらに外方からの水密状態で被覆し、上記電力供給部１１内に水などの液体が流入することを防止することができ、上記駆動装置１３全体を水密状態で保護することができる。
【００６７】
図３に示すように、上記駆動部カバー１５の長さ方向における内径寸法Ｗ１５は、図４に示すように、上記電力供給部１１の後端部５６と上記保護筒部１９の先端部５８との間の間隔寸法Ｗ１６と略同じ寸法に形成されている。
したがって、図７に示すように、上記電力供給部１１及び、上記保護筒部１９の先端部５８を上記電力供給部カバー１５で被覆させることにより、上記電力供給部１１及び、上記支持筒部１８と上記保護筒部１９間に嵌入されている駆動部カバー１７の開口縁部１６を被覆することができ、駆動部カバー１７の突条部２１が支持筒部１８との間に圧入された保護筒部１９をさらに外方からの水密状態で被覆し、上記駆動部１２と、上記電力供給部１１との係合部を水密状態で保護することができる。
【００６８】
また、図３に示すように、上記電力供給部カバー１５は、可撓性を有する軟質素材により形成されていることから、上記電力供給部カバー１５の開口部３１を手で広げて開口することにより、上記電力供給部カバー１５を容易に伸張させて、上記電力供給部１１に被せることができるとともに、上記電力供給部１１の電池ボックス２３内に収納されている電池を取出して交換する際においても、上記電力供給部カバー１５の開口部３１を手で広げて開口することにより、上記電力供給部カバー１５を容易に伸張させて、上記電力供給部１１から上記電力供給部カバー１５を取り外すことができる。
【００６９】
上記実施例においては、上記スイッチ部は、押しボタンにより形成されているが、平面円形状に形成されたダイヤルにより形成することができる。
この場合、上記ダイヤルを上記電力供給部カバー１５の外方から回すことにより、上記駆動部に設けられている原動部や、モーター等を作動することができるスイッチとして使用することができる。
上記電力供給部カバー１５は、軟質素材により形成されていることから、上記電力供給部カバー１５の外方から、上記ダイヤルを回転させることができ、上記ダイヤルにより上記駆動部の振動部を振動させ、上記駆動装置を防水構造を有するバイブレーターとして使用することができる。
【００７０】
また、上記スイッチ部として上記電力供給部の長さ方向にスライド可能なスライダーにより形成することができる。
この場合、上記スライダーを電力供給部の長さ方向に沿ってスライドさせることにより、上記駆動部に設けられている原動部や、モーター等を作動することができるスイッチとして使用することができる。
上記電力供給部カバーは、軟質素材により形成されていることから、上記電力供給部カバーの外方から、上記スライダーをスライドさせることができ、上記スライダーにより上記駆動部の振動部を振動させ、上記駆動装置を水密状態下で使用することができるバイブレーターとして使用することができる。
【００７１】
以下、添付図面に示す実施例に基づき、本発明にかかる防水構造１０の作用について詳細に説明する。
【００７２】
上記防水構造１０は、図１に示すように、先端に振動部３６を備えているバイブレーター２２の防水構造１０として使用することができ、浴室や水周り等、水気がある状況下において、上記バイブレーター２２を構成する原動部や、スイッチ部２０等の電子機器を水気から保護し、安全に使用することができる防水構造として使用することができる。
【００７３】
図１に示すように、上記防水構造１０は、駆動装置１３としてのバイブレーター２２の防水構造として形成され、浴室や水気がある環境下において上記バイブレーター２２を使用した場合であっても、上記バイブレーター２２を構成する駆動部１２及び電池ボックス２３を水密状態下で被覆して保護することができる。
【００７４】
図５に示すように、上記駆動部１２を構成する回転モーター３５は、周縁部にスポンジ４８が設けられた状態で上記支持筒部１８の内方に圧入させることにより、上記回転モーター３５は、上記支持筒部１８内において上記スポンジ４８により固定することができる。
【００７５】
図５に示すように、上記回転モーター３５の駆動軸には、駆動軸に延設して設けられた湾曲したシャフト３３が設けられ、上記シャフト３３の先端部３４には、原動部２８及び、上記原動部２８の駆動軸３７に設けられている振動子２９により形成されている振動部３６が設けられている。
上記振動部３６は楕円形状に形成されたカプセル４５により保護されて固定されている。
【００７６】
図７に示すように、上記駆動部１２は上記駆動部カバー１７の内方において、上記駆動部カバー１７の長さ方向に沿って挿通され、上記振動部３６を構成するカプセル４５が上記駆動部カバー１７の内方先端に当接されて固定されている。
【００７７】
図７に示すように、上記駆動部カバー１７の開口縁部１６は、上記支持筒部１８の外側縁に沿って圧入され、上記駆動部カバー１７の開口縁部１６を上記支持筒部１８と、上記保護筒部１９との間に嵌入させ、上記駆動部カバー１７の開口周縁部２７に設けられている突条部２１が、上記保護筒部１９の内側に圧接されることにより、上記駆動部カバー１７の内方を水密状態で被覆して保護することができる。
【００７８】
また、図７に示すように、上記バイブレーター２２を浴室や水気がある環境下において使用する場合には、上記電力供給部１１を上記電力供給部カバー１５の内方に配置させることにより水密状態で使用することができる。
【００７９】
上記電力供給部カバー１５を上記電力供給部１１に被せる場合には、上記電力供給部カバー１５の開口部３１を伸張させることにより、上記開口部３１に設けられている係合突条部３０の内径Ｗ７が伸張し、図４に示すように、上記電力供給部１１の外形寸法Ｗ６、及び上記保護筒部１９の外形寸法Ｗ１７よりも大きい径寸法に形成されることから、上記開口部３１内に上記電力供給部１１及び、上記保護筒部１９を挿入させることができ、上記電力供給部カバー１５内に上記電力供給部１１を配置することができる。
【００８０】
上記電力供給部カバー１５内に、上記電力供給部１１及び上記保護筒部１９を配置した状態で上記係合突条部３０の伸張を解除することにより、上記係合突条部３０は収縮される。
上記係合突条部３０の収縮により、図７に示すように、上記係合突条部３０内側面に設けられている上記突条当接部６０における内径寸法Ｗ７は、上記電力供給部１１の外形寸法Ｗ６、及び上記保護筒部１９の外形寸法Ｗ１７よりも小さい径寸法に収縮され、上記開口部３１内に上記電力供給部１１及び、上記保護筒部１９を配置した状態で、上記突条当接部６０が上記駆動部カバー１７の開口周縁部２７に当接され、上記電力供給部カバー１５内を水密状態で保護することができる。
【００８１】
従って、上記係合突条部３０の内側面に設けられた突条当接部６０により、駆動部カバー１７の突条部２１が支持筒部１８との間に圧入された保護筒部１９をさらに外方からの水密状態で被覆し、上記電力供給部１１内に水などの液体が流入することを防止することができ、上記駆動装置１３全体を水密状態で保護することができる。
【００８２】
また、この場合、上記係合突条部３０の内側面に設けられている上記突条当接部６０における内径Ｗ７は、上記保護筒部１９の外形寸法Ｗ１７よりも小さい径寸法に収縮されていることから、上記係合突条部３０が多少めくれた場合であっても、上記保護筒部１９から脱落されることなく、上記電力供給部１１を水密状態で保護することができる。
【００８３】
図６に示すように、上記電池ボックス２３内の電池を交換する場合には、図７に示すように、上記電力供給部カバー１５の開口部３１を伸張させることにより、上記開口部３１に設けられている係合突条部３０の内径Ｗ７が伸張し、図４に示すように、上記電力供給部１１の外形寸法Ｗ６、及び上記保護筒部１９の外形寸法Ｗ１７よりも大きい径寸法に形成されることから、上記開口部３１から上記保護筒部１９及び上記電力供給部１１を取出すことができる。
【００８４】
次に、図６に示すように、上記電池ボックス２３の側面に設けられている蓋部５０を上記電池ボックス２３の長さ方向に沿ってスライドさせることにより、上記電池収納部４９を露呈させ、上記電池保持バネ５２により保持されている電池を取出して交換を行うことができる。
【００８５】
上記駆動部１２を駆動してバイブレーター２２として使用する場合には、図７に示すように、上記電力供給部カバー１５の内方に設けられているスイッチ部２０を構成する各押しボタン２４ａ，２４ｂ，２４ｃ，２４ｄを上記電力供給部カバー１５の外方から操作することにより、上記バイブレーター２２を駆動させることができる。
上記電力供給部カバー１５は、軟質素材により形成されていることから、上記電力供給部カバー１５の外方から押圧することにより、各押しボタン２４ａ，２４ｂ，２４ｃ，２４ｄを押すことができ、また、上記電力供給部カバー１５は、半透明素材により形成されていることから、上記電力供給部１１に電力供給部カバー１５を被せた状態においても、上記各押しボタン２４ａ，２４ｂ，２４ｃ，２４ｄの位置を確認することができる。
従って、使用者は上記各押しボタン２４ａ，２４ｂ，２４ｃ，２４ｄが上記電力供給部カバー１５により被覆された状態においても、上記各押しボタン２４ａ，２４ｂ，２４ｃ，２４ｄを押して、上記バイブレーターを水密状態下で使用することができる。
【００８６】
具体的には、上記電力供給部カバー１５の外方から、上記押しボタン２４ａを押すことにより、図５に示すように、上記回転モーター３５及び原動部２８の駆動軸が回転する。
上記回転モーター３５が回転することにより、上記回転モーター３５の駆動軸に延設されている湾曲したシャフト３３が回転し、図７に示すように、上記シャフト３３の先端部３４に設けられているカプセル４５が上記回転モーター３５の駆動軸を中心とした偏心運動が行われる。
上記カプセル４５は、上記駆動部カバー１２の内方の先端において当接されて固定されていることから、上記カプセル４５の偏心運動に合わせて可撓性を有する上記駆動部カバー１２も上記回転モーター３５の駆動軸を中心とした偏心運動が行われる。
【００８７】
また、上記原動部２８の駆動軸３７が回転することにより、上記駆動軸３７に設けられている振動子２９が回転されることから、上記振動子２９の振動により、上記カプセル４５が振動される。
上記カプセル４５は、上記駆動部カバー１２の内方の先端において当接されて固定されていることから、上記駆動部カバー１７の先端部を振動させることができるバイブレーターとして使用することができる。
【００８８】
また、上記電力供給部カバー１５の外方から、上記押しボタン２４ｂを押すことにより、上記回転モーター３５及び上記原動部２８の駆動軸の回転速度を高速にすることができる。
このことにより、上記駆動部カバー１２の偏心運動のスピード及び、上記駆動部カバー１２の先端部における振動速度を向上させ、より刺激的なバイブレーター２２として使用することができる。
【００８９】
上記電力供給部カバー１５の外方から、上記押しボタン２４ｃを押すことにより、図５に示すように、上記副原動部４２の駆動軸４３が回転する。  
上記副原動部４２の駆動軸４３が回転することにより、上記駆動軸４３に設けられている振動子４４が回転されることから、上記振動子４４の振動により、上記副カプセル４６が振動される。
図１に示すように、上記副カプセル４６は、上記副駆動部カバー５３の内方の先端において当接されて固定されていることから、上記副駆動部カバー５３の先端部を振動させることができるバイブレーターとして使用することができる。
【００９０】
また、上記電力供給部カバー１５の外方から、上記押しボタン２４ｄを押すことにより、上記副原動部４２の駆動軸４３の回転速度を高速にすることができる。
このことにより、上記副駆動部カバー５３の先端部における振動速度を向上させ、より刺激的なバイブレーター２２として使用することができる。
【産業上の利用可能性】
【００９１】
本件発明は、浴室や水回り等において駆動装置の係合部を水密状態で保護することができ、かつ、上記水密状態を製作コストを嵩ませることなく形成することができる防水構造に適用することができる。
【図面の簡単な説明】
【００９２】
【図１】図１は、本発明に係る防水構造を駆動装置において使用した実施例を示す全体斜視図である。
【図２】図２は、本発明に係る防水構造の駆動部カバーを示す斜視図である。
【図３】図３は、本発明に係る防水構造の電力供給部カバーを示す斜視図である。
【図４】図４は、本発明に係る防水構造に用いられる電力供給部、支持筒部及び保護筒部を示す斜視図である。
【図５】図５は、本発明に係る防水構造に用いられる駆動部、支持筒部及び保護筒部を示す斜視図である。
【図６】図６は、本発明に係る防水構造に用いられる電力供給部、支持部及び保護筒部を示す斜視図である。
【図７】図７は、本発明に係る図１のＹ−Ｙ'断面における縦断面図である。
【符号の説明】
【００９３】
１０    防水構造
１１    電力供給部
１２    駆動部
１３    駆動装置
１４    開口縁部（電力供給部カバー）
１５    電力供給部カバー
１６    開口縁部（駆動部カバー）
１７    駆動部カバー
１８    支持筒部
１９    保護筒部
２０    スイッチ部
２１    突条部
２２    バイブレーター
２３    電池ボックス
２４ａ  押しボタン
２４ｂ  押しボタン
２４ｃ  押しボタン
２４ｄ  押しボタン
２５    ダイヤル
２６    スライダー
２７    開口周縁部（駆動部カバー）
２８    原動部
２９    振動子
３０    係合突条部
３１    開口部（電力供給部カバー）
３２    開口部（駆動部カバー）
３３    シャフト
３４    先端部（シャフト）
３５    回転モーター
３６    振動部
３７    駆動軸（原動部）
３８    保護チューブ
３９    導線（回転モーター）
４０    導線（原動部）
４１    副振動部
４２    副原動部
４３    駆動軸（副原動部）
４４    振動子
４５    カプセル
４６    副カプセル
４７    導線
４８    スポンジ
４９    電池収納部
５０    蓋部
５１    滑り止め部
５２    電池保持バネ
５３    副駆動部カバー
５４    筒状部（駆動部カバー）
５５    平面部（駆動部カバー）
５６    後端部（電力供給部）
５７    駆動部側端縁部
５８    先端部（保護筒部）
６０    突条当接部（係合突条部）
Ｗ１    内径寸法（駆動部カバー）
Ｗ２    外径寸法（支持筒部）
Ｗ３    外径寸法（突条部）
Ｗ４    内径寸法（保護筒部）
Ｗ５    内径寸法（電力供給部カバー）
Ｗ６    外径寸法（電力供給部）
Ｗ７    内径（係合突条部）
Ｗ８    内径寸法（支持筒部）
Ｗ９    外径寸法（回転モーター）
Ｗ１０  間隔寸法（支持筒部-保護筒部間）
Ｗ１１  厚さ寸法（駆動部カバー）
Ｗ１２  間隔寸法（突条部）
Ｗ１３  長さ寸法（保護筒部）
Ｗ１４  厚さ寸法（突条部）
Ｗ１５  内径寸法（駆動部カバー）
Ｗ１６  間隔寸法（保護筒部）
Ｗ１７  外形寸法（保護筒部）
【図１】
2007136011.tif 000003
【図２】
2007136011.tif 000004
【図３】
2007136011.tif 000005
【図４】
2007136011.tif 000006
【図５】
2007136011.tif 000007
【図６】
2007136011.tif 000008
【図７】
2007136011.tif 000009